(57)【要約】【課題】ティ本体を保持して手軽に持ち運びができ、ゴルフティの使用時にはティ本体を容易に外せる一方、ゴルフティの非使用時にはティ本体を簡単に取着できるティホルダを備えたゴルフティを提供する。【解決手段】下端に差込部、上端に頭部を有するティ本体と、前記通し孔が形成されたホルダとからなる。頭部の上面に係合孔部が形成され、係合孔部に係脱自在に嵌合する係合突部がホルダの下部に形成されている。【選択図】図３
0003160709.tif 000002
【実用新案登録請求の範囲】
【請求項１】
下端に差込部、上端に頭部を有するティ本体と、
通し孔が形成されたホルダとからなり、
前記ティ本体の前記頭部と前記ホルダ本体の前記通し孔とは別の部分とが着脱自在に係止された、ことを特徴とするゴルフティ。
【請求項２】
前記頭部及び前記ホルダの前記通し孔とは別の部分のうちの一方に、係合穴部が形成され、他方に前記係合穴部に係脱自在に嵌合する係合突部が形成された、ことを特徴とする請求項１に記載のゴルフティ。
【請求項３】
前記頭部及び前記ホルダの前記通し孔とは別の部分のうちの一方に、永久磁石が設けられ、他方に前記永久磁石の磁力によって吸引される磁性体が設けられた、ことを特徴とする請求項１に記載のゴルフティ。
【請求項４】
前記頭部の上面に係合穴部が形成され、
前記係合穴部に係脱自在に嵌合する係合突部が前記ホルダの下部に形成された、
ことを特徴とする請求項２に記載のゴルフティ。
【考案の詳細な説明】
【技術分野】
【０００１】
本考案は、ティ本体を持ち運び可能とするティホルダを備えたゴルフティに関する。
【背景技術】
【０００２】
従来、ゴルフティを物品と共に持ち運び可能とするために、ティ本体の脚部に横方向に貫通する孔部を穿設し、孔部にコードあるいは紐を通し、コードによってティと物品とを連結可能としていた（特許文献１）。
【先行技術文献】
【特許文献】
【０００３】
【特許文献１】特表２００５−５２８１５０号公報
【考案の概要】
【考案が解決しようとする課題】
【０００４】
ところが、従来のゴルフティでは、孔部の径が小さいためにコードあるいは紐を孔部に挿通し難いという難点があった。また、ゴルフティの使用時には、コードあるいは紐を孔部から外さなければならず、コードあるいは紐を孔部から外した後は、ゴルフティを使用者がポケット等にしまい込むことになり、再度ゴルフティを使用する時に見つからないことが度々あった。
【０００５】
そこで、本考案は、これに鑑みてなされたもので、その目的は、ティ本体を保持して手軽に持ち運びができ、ゴルフティの使用時にはティ本体を容易に外せる一方、ゴルフティの非使用時にはティ本体を簡単に取着できるティホルダを備えたゴルフティを提供するものである。
【課題を解決するための手段】
【０００６】
請求項１に係るゴルフティは、
下端に差込部、上端に頭部を有するティ本体と、
前記通し孔が形成されたホルダとからなり、
前記ティ本体の前記頭部と前記ホルダ本体の前記通し孔とは別の部分とが着脱自在に係止された、ことを特徴とする。
【０００７】
請求項２に係るゴルフティは、請求項１に係るゴルフティにおいて、前記頭部及び前記ホルダの前記通し孔とは別の部分のうちの一方に、係合穴部が形成され、他方に前記係合穴部に係脱自在に嵌合する係合突部が形成された、ことを特徴とするものである。
【０００８】
請求項３に係るゴルフティは、請求項１に係るゴルフティにおいて、前記頭部及び前記ホルダの前記通し孔とは別の部分のうちの一方に、永久磁石が設けられ、他方に前記永久磁石の磁力によって吸引される磁性体が設けられた、ことを特徴とするものである。
【０００９】
請求項４に係るゴルフティは、請求項２に係るゴルフティにおいて、前記頭部の上面に係合穴部が形成され、前記係合穴部に係脱自在に嵌合する係合突部が前記ホルダの下部に形成された、ことを特徴とするものである。
【考案の効果】
【００１０】
請求項１に係るゴルフティによれば、ホルダにティ本体の頭部が着脱自在に係止されるので、ゴルフティの非使用時にティ本体を簡単にホルダ本体に取着でき、ゴルフティの使用時には、ティ本体をホルダ本体に対して容易に外すことができるから、ティ本体の着脱がきわめて容易に行える。また、通し孔に紐あるいは鎖を通し、紐あるいは鎖によってホルダ本体を使用者の身体又は物品に連結しておくことができるので、ティ本体を保持して手軽に持ち運びができる。
【００１１】
請求項２及び４に係るゴルフティによれば、ティ本体の頭部及びホルダの通し孔とは別の部分のうちの一方に形成された係合穴部に、他方に形成された係合突部を合致させて嵌め込むことにより、係合穴部に係合突部が係止されるので、ゴルフティの非使用時にティ本体を簡単にホルダ本体に取着でき、ゴルフティの使用時には、ティ本体をホルダ本体に対して引き抜くことで容易に外すことができるから、ティ本体の着脱がきわめて容易に行える。
【００１２】
請求項３に係るゴルフティによれば、ホルダとティ本体の頭部とが永久磁石の吸引力により着脱自在に係止されるので、ゴルフティの非使用時にティ本体を簡単にホルダ本体に取着でき、ゴルフティの使用時には、ティ本体をホルダ本体に対して容易に外すことができるから、ティ本体の着脱がきわめて容易に行える。
【図面の簡単な説明】
【００１３】
【図１】本考案の第１実施形態に係るゴルフティを分解して示す正面図である。
【図２】ティ本体の平面図である。
【図３】第１実施形態のゴルフティの要部断面図である。
【図４】ティ本体に対して着脱可能な球座を備えたゴルフティの正面図である。
【図５】球座の平面図である。
【図６】球座を装着した状態を示すティ本体及び球座の平面図である。
【図７】球座を装着した状態のゴルフティの正面図である。
【図８】第２実施形態のゴルフティの要部断面図である。
【考案を実施するための形態】
【００１４】
以下、本考案の実施の形態を図面を参照して説明する。図１は本考案の第１実施形態に係るゴルフティを分解して示す正面図である。図１において、本考案のゴルフティ１は、ティ本体２とホルダ１５とからなる。ティ本体２は、合成樹脂、金属等を素材とし、その下端に先鋭状に形成された差込部３を有し、中間部分は丸棒状の脚部４に形成され、上端にゴルフボールを載置するための球座（後述）に嵌着される頭部５を有する。
【００１５】
本考案のゴルフティ１は、概略として、下端に差込部３、上端に頭部５を有するティ本体２と、通し孔１７が形成されたホルダ１５とからなり、ティ本体２の頭部５とホルダ１５の通し孔１７とは別の部分とが着脱自在に係止されたことを特徴とするものである。
【００１６】
以下、詳細に説明する。図２はティ本体２の平面図である。頭部５はティ本体と一体に形成され、脚部４よりも径大で、頭部５の軸心は脚部４の軸心と共有するように形成されている。図１乃至図２に示すように、頭部５は、基端部６が上方に向って径大となるように漏斗状に形成され、その外周部分に９０度毎の間隔で４か所に支持体７が形成されている。
【００１７】
支持体７は、図１に示すように、基端部に対して上方の先端部が径方向外方に傾斜して形成され、図２に示すように、平面視において上面が略長矩形状をなしている。図２に示すように、支持体７は、頭部５の軸心を交点とする互いに直交する縦仮想中心線８及び横仮想中心線９よりなる仮想十字線８，９に対して直交し、且つ反時計方向となる接線方向に長辺が沿うように形成されている。すなわち、換言すると、前記仮想十字線８，９に対して所謂「卍」形状をなすように形成されている。
【００１８】
そうして、各支持体７、７の間にはスリット状の溝１０がそれぞれ形成され、各支持体７で囲まれる中央部分には、上方に開放し、かつ各溝１０に連通する係合穴１１が下方に向って形成されている。また、係合穴１１の底面には、凹部よりなる受け部１２が形成されている。また、図１に示すように、支持体７の上面は、径方向内側から外側に向って上方に傾斜する下に凸なる曲面よりなる受け曲面１３に形成されている。また、脚部４と頭部５との間には脚部４よりも径小の周溝からなる係止溝１４が形成されている。
【００１９】
ホルダ１５は、合成樹脂、金属等を素材とし、図１に示すように、略球体をなしている。ホルダ１５の上部には取付部としての突片１６が形成され、突片１６には紐や鎖等を通すための通し孔１７が形成されている。また、ホルダ１５の下端部には、頭部５の係合穴部１１に係脱自在に嵌合する係合突部１８が下方に向けて形成されている。係合突部１８は、基端部がそれよりも下方の部分に対して径小に形成された括れ部１９と、括れ部１９に連接して紡錘形状をなす係合突起２０とにより構成されている。
【００２０】
以上のように構成されたゴルフティ１の作用について説明する。図３は第１実施形態のゴルフティ１の要部断面図である。ティ本体２のホルダ１５に対する取り付けは、ティ本体２の頭部５の中央部上面に形成された係合穴１１に、ホルダ１５の下部に形成された係合突部１８を合致させて嵌め込むと、紡錘形状をなした係合突起２０に４つの支持体７が押圧されて径方向外側に向って僅かに弾性変形し、係合突起２０が完全に係合穴１１に嵌入すると、４つの支持体７が中央に向けて弾性復帰して括れ部１９を押え込んで係合穴１１に係合突部１８が係止される。また、係合突起２０の先端が係合穴１１の底面に凹状に形成された受け部１２に支持されると共に、ホルダ１５の下部球面が各受け曲面１３の中心寄りと接触して係止状態が安定する。
【００２１】
以上のように、ティ本体２の頭部５の係合穴１１にホルダ１５の係合突部１８が係止されるので、ゴルフティ１の非使用時にティ本体２を簡単にホルダ１５に取着することができる。また、ゴルフティ１の使用時には、ティ本体２をホルダ１５に対して引き抜くことで容易に係止状態を外すことができるから、ティ本体２の着脱がきわめて容易に行える。また、ホルダ１５の通し孔１７に紐あるいは鎖（図示せず）を通し、紐あるいは鎖によってホルダ１５を使用者の身体或いは物品に連結しておくことができるので、ティ本体２を保持して手軽に持ち運びができる。従来のゴルフティのように、ティ本体の孔部にコードあるいは紐を挿通しなくて済むので、きわめて短い時間でティ本体を着脱することができる。
【００２２】
図４はティ本体に対して着脱可能な球座２１を備えたゴルフティの正面図である。また、図５は球座２１の平面図であり、図６は球座２１を装着した状態を示すティ本体２及び球座２１の平面図である。球座２１は、軟質のゴム系素材よりなり、可撓性を有しており図４に示すように、ティ本体２の頭部５の外側に嵌着される。球座２１は、図４に示すように、正面視において、ティ本体２の頭部５よりも大きく、頭部５と略同様な形状をなしており、下端部に逆截頭円錐形状または截先漏斗形状をなした環状部２２を備え、環状部２２の上端には、頭部５の各支持体７の外側から上方に向って延伸する４つのボール支持片２３が形成されている。
【００２３】
４つのボール支持片２３は、上部が径方向外方へ傾斜しており、ボール支持片２３の長さは支持体７よりも長く、ボール支持片２３の先端は支持体７の上方に位置しており、図５に示すように、環状部２２の周方向に等間隔で立設されている。即ち、環状に配置されたボール支持片２３によって、上方へラッパ状に開いたボール受け部分が形成される。
【００２４】
図５に示すように、球座２１の内周面には、頭部５の外周に合致する形状をなして頭部５を嵌合するための嵌合穴２４が形成され、球座２１の中央には軸方向に向って挿通孔２５が形成されている。以上のように形成されている球座２１は、図４に仮想線で示したティ本体２の差込部３を図４の上方から挿通孔２５に挿通し、頭部５が球座２１の嵌合穴２４に嵌合すると（図６参照）、ティ本体２の外周に形成された係止溝１４に球座２１の挿通孔２５の内周縁部が係止されて球座２１がティ本体２の頭部５の外側に嵌着される。
【００２５】
図７は球座２１を装着した状態のゴルフティ１の正面図である。球座２１のボール支持片２３の内側に頭部５が嵌着された状態では、図６及び図７に仮想線で示すように、球座２１の４つのボール支持片２３がホルダ１５の外側に配置されるので、４つのボール支持片２３がホルダ１５に干渉することがなく、球座２１のボール支持片２３の内側に頭部５が嵌着された状態でティ本体２をホルダ１５に対して着脱を行うことができる。
【００２６】
図８は本考案の第２実施形態に係るゴルフティ１の要部断面図である。第２実施形態に係るゴルフティは、第１実施形態における係合穴１１と係合突部１８に代えて、頭部５及びホルダ１５の下部のうちの一方に、永久磁石２６が設けられ、他方に永久磁石の磁力によって吸引される磁性体２７が設けられた構成により、ティ本体２とホルダ１５とが着脱自在に係止される構成としたものである。図８では、ホルダ１５の下部に永久磁石２６が埋設され、ティ本体２の頭部５の上面に磁性体２７が埋設されている。その他の構成は第１実施形態と同様であるので、詳細な説明は省略する。
【００２７】
また、図８に示す第２実施形態に係るゴルフティ１において、永久磁石２６及び磁性体２７に代えてループ体とフック体よりなる面ファスナを設け、面ファスナによりティ本体２とホルダ１５とが着脱自在に係止される構成としてもよい。
【００２８】
以上に本考案に係る実施形態について説明したが、ホルダ１５は球体のものが図示により示されているが、ホルダ１５の形状は球体に限られるものではなく、特にどのように形状であってもよく、例えば、方体、多面体、或いは、円柱や多角柱等の柱体、ゴルフ界やその他のスポーツ界における著名人並びにアニメ等に登場するキャラクタを模したキャラクタ体としてもよい。
【符号の説明】
【００２９】
１  ゴルフティ
２  ティ本体
３  差込部
４  脚部
５  頭部
６  基端部
７  支持体
８  縦仮想中心線
９  横仮想中心線
１０  溝
１１  係合穴
１２  受け部
１３  受け曲面
１４  係止溝
１５  ホルダ
１６  突片（取付部）
１７  通し孔
１８  係合突部
１９  括れ部
２０  係合突起
２１  球座
２２  環状部
２３  ボール支持片
２４  嵌合穴
２５  挿通孔
２６  永久磁石
２７  磁性体
【図１】
0003160709.tif 000003
【図２】
0003160709.tif 000004
【図３】
0003160709.tif 000005
【図４】
0003160709.tif 000006
【図５】
0003160709.tif 000007
【図６】
0003160709.tif 000008
【図７】
0003160709.tif 000009
【図８】
0003160709.tif 000010